(57)【要約】【課題】施工時にかしめ忘れがあった場合、初期水圧テスト時に確実に水漏れが生じ、正常なかしめが行われれば、長期使用後においても、樹脂管が抜けたり、接続部分から水漏れしたりすることがない圧縮かしめ管継手及びこの圧縮かしめ管継手と樹脂管との接続構造を提供する。【解決手段】ノズル部23の最大外径が樹脂管Ｐの内径より小さく、スリーブ３のかしめ位置に対応する部分にリング状をした少なくとも１つのシール材嵌合溝23aを有し、このシール材嵌合溝23aに、シール材嵌合溝23aの底からの最高高さがシール材嵌合溝23aの両側壁の上端より低い位置となるリング状シール材24が嵌装されている構成とした。【選択図】      図８
2011169335.tif 000002
【特許請求の範囲】
【請求項１】
管継手の一端に設けられたノズル部と、ノズル部を囲繞するように配置されたスリーブとの間に接続される樹脂管の端部を挿入するとともに、専用かしめダイスを用いてかしめることによってスリーブとノズル部との間で前記樹脂管の端部を水密に挟むようにした圧縮かしめ管継手であって、
前記ノズル部は、前記スリーブのかしめ位置に対応する部分にリング状のシール材嵌合溝を有し、
このシール材嵌合溝に、シール材嵌合溝の底からの最高高さがシール材嵌合溝の両側壁の上端より低い位置となるリング状シール材が嵌装されていることを特徴とする圧縮かしめ管継手。
【請求項２】
リング状シール材が、専用かしめダイスによる正常かしめ状態で５〜６５％の圧縮率で圧縮される断面形状をしている請求項１に記載の圧縮かしめ管継手。
【請求項３】
対となる２つの半円弧状をした線状かしめ部が、同一平面内に存在せず、かつ、両線状かしめ部の円弧の両端部が立体的に重なるようにスリーブのかしめ位置にかしめ形成されて樹脂管と圧縮かしめ管継手とが接続されている請求項１または請求項２を用いた樹脂管と圧縮かしめ管継手の接続構造。
【発明の詳細な説明】
【技術分野】
【０００１】
本発明は、圧縮かしめ管継手及びこの圧縮かしめ管継手と樹脂管との接続構造に関する。
【背景技術】
【０００２】
戸建て住宅や集合住宅の床下などに配管される給水・給湯用配管材としての架橋ポリエチレン管、ポリブテン管、ファンコイル等の空調機器の冷温水配管に用いられるアルミニウムの芯層を挟んで内外層にポリエチレン樹脂層が形成された金属強化ポリエチレン管（たとえば、積水化学工業社製商品名エスロンスーパーエスロメタックス）などの樹脂管が用いられている。
そして、これらの樹脂管と、戸外等に配管された金属管などの剛性管とを接続するためには、図１０に示すような圧縮かしめ管継手２００が用いられている（例えば、特許文献１参照）。
【０００３】
図１０に示すように、圧縮かしめ管継手２００は、スリーブ２１０と、継手本体２２０と、を備えている。継手本体２２０は、スリーブ２１０に囲繞されたノズル部２２１を備えている。
そして、圧縮かしめ管継手２００は、ノズル部２２１とスリーブ２１０との間に樹脂管Ｐの端部を挿入し、かしめ工具（図示せず）にセットした専用のかしめダイス１１０を用いてスリーブ２１０のかしめ部（図中の点線矢印の３箇所）をかしめることによって水密に樹脂管Ｐを接続できるようになっている。
【０００４】
すなわち、ノズル部２２１は、スリーブ２１０のかしめ部に対応する位置にリング状をしたシール材嵌合溝２２２を有し、このリング状シール材嵌合溝２２２にリング状シール材２２３が嵌合されている。
そして、樹脂管Ｐは、かしめによって、スリーブ２１０のかしめ位置に対応する部分がノズル部２２１側に縮径するように変形し、この変形部の内壁面がリング状シール材２２３に圧接されて圧縮かしめ管継手２００に水密に接続される。
【先行技術文献】
【特許文献】
【０００５】
【特許文献１】特開２００５−３２５９０４号公報
【発明の概要】
【発明が解決しようとする課題】
【０００６】
ところで、従来の圧縮かしめ管継手２００では、接続しようとする樹脂管Ｐの内径よりリング状シール材２２３の外径が大きいため、樹脂管Ｐをノズル部２２１とスリーブ２１０との間に挿入しただけで、リング状シール材２２３が樹脂管Ｐの内壁面に密着して水密性が発揮される。
したがって、施工時にかしめ忘れがあっても初期水圧テスト時には漏れず、使用後に樹脂管Ｐが抜けたり、接続部分から水漏れしたりするという課題がある。
【０００７】
本発明は、上記事情に鑑みて、施工時にかしめ忘れがあった場合、初期水圧試験時に確実に水漏れが生じ、正常なかしめが行われれば、長期使用後においても、樹脂管が抜けたり、接続部分から水漏れしたりすることがない圧縮かしめ管継手及びこの圧縮かしめ管継手と樹脂管との接続構造を提供することを目的としている。
【課題を解決するための手段】
【０００８】
上記目的を達成するために、本発明にかかる圧縮かしめ管継手は、管継手の一端に設けられたノズル部と、ノズル部を囲繞するように配置されたスリーブとの間に接続される樹脂管を挿入するとともに、専用かしめダイスを用いてかしめることによってスリーブとノズル部との間で前記樹脂管の端部を水密に挟むようにした圧縮かしめ管継手であって、前記ノズル部は、前記スリーブのかしめ位置に対応する部分にリング状のシール材嵌合溝を有し、このシール材嵌合溝に、シール材嵌合溝の底からの最高高さがシール材嵌合溝の両側壁の上端より低い位置となるリング状シール材が嵌装されていることを特徴としている。
【０００９】
本発明において、リング状シール材は、特に限定されないが、専用かしめダイスによる正常かしめ状態で５〜６５％の圧縮率で圧縮される断面形状をしていることが好ましい。
なお、本発明において、上記圧縮率は、かしめ前のシール材嵌合溝の底からのリング状シール材の最高高さをＨ１、シール材嵌合溝の底からかしめ後のシール材嵌合溝に臨む樹脂管の内壁面までの最短距離〔（かしめ後のシール材嵌合溝に臨む樹脂管の最小内径−シール材嵌合溝の底部分の径）／２で算出できる〕をＬとしたとき、下記式（１）で算出される。
圧縮率＝（Ｈ1−Ｌ）／Ｈ１×１００・・・（１）
【００１０】
また、本発明の圧縮かしめ管継手と樹脂管との接続構造は、特に限定されないが、対となる２つの半円弧状をした線状かしめ部が、同一平面内に存在せず、かつ、両線状かしめ部の円弧の両端部が立体的に重なるようにスリーブのかしめ位置にかしめ形成されて樹脂管と圧縮かしめ管継手とが接続されている接続構造とすることが好ましい。
なお、上記接続構造において、対となる２つの線状かしめ部は、同一平面に無ければよいが、止水性を考慮すると、２つの線状かしめ部間の管軸方向の距離は、できるだけ近い方が好ましい。
【発明の効果】
【００１１】
以上のように、本発明にかかる圧縮かしめ管継手は、管継手の一端に設けられたノズル部と、ノズル部を囲繞するように配置されたスリーブとの間に接続される樹脂管の端部を挿入するとともに、スリーブの軸方向の少なくとも一部に設けられたかしめ位置を、専用かしめダイスを用いてかしめることによってスリーブとノズル部との間で前記樹脂管の端部を水密に挟むようにした圧縮かしめ管継手であって、前記ノズル部は、前記スリーブのかしめ位置に対応する部分にリング状のシール材嵌合溝を有し、このシール材嵌合溝に、シール材嵌合溝の底からの最高高さがシール材嵌合溝の両側壁の上端より低い位置となるリング状シール材が嵌装されているので、施工時にかしめ忘れがあった場合、初期水圧テスト時に確実に水漏れが生じ、正常なかしめが行われれば、長期使用後においても、樹脂管が抜けたり、接続部分から水漏れしたりすることがない。
【００１２】
しかも、かしめていない状態では、その外径が前記シール材嵌合溝の側壁上側周縁の直径より小径のリング状シール材がシール材嵌合溝に嵌合されているので、スリーブとノズル部との間に樹脂管の端部を挿入しただけでは、樹脂管の内周面とノズル部及びリング状シール材の外周面との間には、必ず隙間が生じる。したがって、かしめ忘れがあると、初期水圧試験を行ったとき、樹脂管の内周面とリング状シール材の外周面とを介して水漏れが生じる。
【００１３】
また、リング状シール材のシール材嵌合溝の底からの最高高さがシール材嵌合溝の両側壁の上端より低い位置となっているので、樹脂管をスリーブとノズル部との間に挿入する際に、樹脂管の端部がリング状シール材に接触してリンク状シール材を損傷したり、シール材嵌合溝から離脱させたりする、所謂脱リングが発生しない。すなわち、リンク状シール材の損傷やシール材嵌合溝から離脱による止水不備の問題が発生しない。
また、本発明の圧縮かしめ管継手と樹脂管との接続構造を、対となる２つの半円弧状をした線状かしめ部が、同一平面内に存在せず、かつ、両線状かしめ部の円弧の両端部が立体的に重なるようにスリーブのかしめ位置にかしめ形成されて樹脂管と圧縮かしめ管継手とが接続されている接続構造とすれば、より止水を確実に行うことができる。
すなわち、対となる２つの線状かしめ部は、同一平面内に存在しないため、かしめの際に両線状かしめ部の両端が突き合うことによる褶曲部がスリーブに生じることがない。両線状かしめ部の円弧の両端部が立体的に重なるので、スリーブのかしめ部は、あたかも真円にかしめられたようになる。したがって、スリーブは、その全周がほぼ均等にかしめられて、かしめの不均一による止水不良などの問題もない。
【図面の簡単な説明】
【００１４】
【図１】本発明にかかる圧縮かしめ管継手の１つの実施の形態をあらわす斜視図である。
【図２】図１の圧縮かしめ管継手の断面図である。
【図３】図２の要部拡大断面図である
【図４】本発明の圧縮かしめ管継手に用いるかしめ工具の１例をあらわす正面図である。
【図５】図４のかしめ工具に装着されるかしめダイスの分割ダイスの突き合わせ面を突き合わせる前に状態の斜視図である。
【図６】図５のかしめダイスの分割ダイスの突き合わせ面を突き合わせた状態の斜視図である。
【図７】図５を軸方向から見た図である。
【図８】図１の圧縮かしめ管継手と樹脂管とを図４のかしめ工具及び図５〜７に示すかしめダイスを用いて接続する方法を説明する図である。
【図９】図１の圧縮かしめ管継手と樹脂管とを図４のかしめ工具及び図５〜７に示すかしめダイスを用いて接続した状態の正面図である。
【図１０】従来の圧縮かしめ管継手の樹脂管を接続した状態の半断面図である。
【発明を実施するための形態】
【００１５】
以下に、本発明を、その実施の形態をあらわす図面を参照しつつ詳しく説明する。
図１及び図２は、本発明にかかる圧縮かしめ管継手の１つの実施の形態をあらわしている。
【００１６】
図１及び図２に示すように、この圧縮かしめ管継手１は、継手本体２と、スリーブ３とを備えている。
継手本体２は、真鍮、砲金、ステンレス鋼などから形成されていて、六角ナット状をしたフランジ部２１と、フランジ部２１の一方に連設された雄ねじ筒部２２と、フランジ部２１の他方に連設されたノズル部２３とを備えている。
【００１７】
ノズル部２３は、図２に示すように、その最大外径が接続される樹脂管Ｐの内径より小さく、後述する専用のかしめダイスでスリーブ３をかしめたとき、中央のかしめ位置に対応する位置にリング状をしたシール材嵌合溝２３ａを備え、シール材嵌合溝２３ａを挟んだ両側の外周面が、鋸歯状の凹凸形状に形成されている。
シール材嵌合溝２３ａには、リング状シール材２４が嵌装されている。
【００１８】
リング状シール材２４は、ＥＰＤＭ（エチレン−プロピレン−ジエン共重合体）などの合成ゴムで形成されていて、図３に示すように、シール材嵌合溝２３ａへの嵌装状態で、シール材嵌合溝２３ａの底からの最高高さＨ１が、シール材嵌合溝２３ａの底からシール材嵌合溝２３ａの両側壁上端までの高さＨ２より低くなるように形成されているとともに、
その断面形状が、非圧縮状態で、リングの厚み方向の寸法がシール材嵌合溝２３の溝幅より少し小さく、最高高さＨ１部分がリングの厚み方向（中心軸方向）の中心位置よりノズル部２３の先端側に少しずれた断面略かまぼこ形状をしている。
また、リング状シール材２４は、後述するように樹脂管Ｐが正常に接続されたとき、図３において２点鎖線で示すように、圧縮率が５〜６５％となるように弾性変形するように形成されている。
【００１９】
スリーブ３は、ステンレス鋼やアルミニウムによって形成されていて、スリーブ本体３１と、スリーブ本体３１の一端に連設された円形フランジ３２とを備えている。
スリーブ本体３１は、図２に示すように、その内径が樹脂管Ｐの外径とほぼ同じか少し大きくなっているとともに、他端が継手本体２のフランジ部２１のノズル部２３側に設けられたリング状の嵌合溝２１ａに嵌合一体化されている。
円形フランジ３２は、スリーブ本体３１の一端から外周方向に広がるように設けられている。
【００２０】
この圧縮かしめ管継手１は、例えば、図４に示すようなかしめ工具４に装着された図５〜図７に示す専用のかしめダイス５を用いてスリーブ３がかしめられる。
図５〜図７に示すように、かしめダイス５は、２つの分割ダイス５ａから構成されている。
２つの分割ダイス５ａは、それぞれ略半筒形状をしたかしめ凹部５１と、かしめ凹部５１の両側に設けられた突き合わせ面５２とを有している。
【００２１】
また、両分割ダイス５ａは、突き合わせ面５２が、突き合わせ凸面５２ａと突き合わせ凹面５２ｂとを軸方向に交互に形成した凹凸形状をしていて、一方の分割ダイス５ａの突き合わせ凸面５２ａが他方の分割ダイス５ａの突き合わせ凹面５２ｂに突き合うようになっている。
かしめ凹部５１の内壁面には、半円弧状をしたかしめ突条５３が、平行に３条ずつ設けられている。そして、かしめ突条５３を含むかしめ凹部５１の突き合わせ面５２とのコーナー部は、湾曲形状に面取りされている。
【００２２】
そして、各かしめ突条５３は、突き合わせ凸面５２ａを形成する突部５２ｃの両端縁および端部突部５２ｄの内側の端縁に沿うようにかしめ凹部５１の内壁面と突き合わせ凸面５２ａとのコーナー部に達するようにそれぞれ設けられている。
また、両分割ダイス５ａは、かしめ工具４にセットされた状態で、一方の分割ダイス５ａのかしめ突条５３と、他方の分割ダイス５ａのかしめ突条５３とが１つずつ対となるように配置され、両分割ダイス５ａの突き合わせ凸面５２ａと突き合わせ凹面５２ｂとが突き合わされた状態で、各対となるかしめ突条５３が、かしめ凹部５１の軸に直交する方向（図６の矢印Ｘ方向）から投影したとき、重なって投影されないようにかしめ凹部５１の軸方向にずれるとともに、図７に示すように、かしめ凹部５１の軸方向から見たとき、対となるかしめ突条５３の両端部同士が重なった状態となる。すなわち、対となるかしめ突条５３が略円形を形成したように見える。また、中央の対となるかしめ突条５３は、かしめ時にリング状シール材２４の直上を臨む位置に配置されるようになっている。
【００２３】
つぎに、上記かしめ工具４に装着されたかしめダイス５を用いた樹脂管Ｐの圧縮かしめ管継手１への接続方法を、図８を参照しながら詳しく説明する。
【００２４】
（１）図８（ａ）に示すように、樹脂管Ｐの端部をスリーブ３とノズル部２３との間に挿入する。
このとき、圧縮かしめ管継手１は、ノズル部２３の最大外径が樹脂管Ｐの内径より小径で、リング状シール材２４の外径が、シール材嵌合溝２３ａの側壁上側周縁の直径より小径であるので、この挿入状態では、樹脂管Ｐとノズル部２３及びリング状シール材２４との間に水圧試験を行ったときに確実に水漏れが生じる隙間が生じた状態となっている。
【００２５】
（２）上記のように樹脂管Ｐがセットされた圧縮かしめ管継手１を、図８（ａ）に示すように、２つの分割ダイス５ａの間（図８（ａ）では片側の分割ダイス５ａしかあらわれていない）にスリーブ本体３１部分が挟まるようにかしめ工具４を配置した後、かしめ工具４のレバー４１を操作して一方の分割ダイス５ａを他方の分割ダイス５ａ側に向かって移動させて図８（ｂ）に示すようにスリーブ本体３１をかしめる。
このかしめによって、スリーブ本体３１が３対のかしめ突条５３によって、シール材嵌合溝２３ａの直上部分及びこのシール材嵌合溝２３ａを挟んだ凹凸形状部分がかしめられる。
そして、このスリーブ３がかしめられることによって、樹脂管Ｐがかしめ突条５３に対応する部分でノズル部２３側にリング状に変形される。すなわち、樹脂管Ｐは、中央の対となるかしめ突条５３に対応する部分で、図３及び図８（ｂ）に示すように、シール材嵌合溝２３ａ内に内壁面側の一部が入り込んでリング状シール材２４を５〜６５％の圧縮率になるように圧縮変形されて、しっかりと止水を図る一方、図８（ｂ）に示すように、２組の対となるかしめ突条５３に対応する部分でシール材嵌合溝２３ａを挟んだ凹凸形状部分に内壁面側の一部が食い込むように圧縮変形されて樹脂管Ｐの抜け止めがなされる。
【００２６】
この圧縮かしめ管継手１は、上記のように、ノズル部２３の最大外径が樹脂管Ｐの内径より小径で、リング状シール材２４の外径が、シール材嵌合溝２３ａの側壁上側周縁の直径より小径であるので、この挿入状態では、樹脂管Ｐとノズル部２３及びリング状シール材２４との間に水圧試験を行ったときに確実に水漏れが生じる隙間が生じた状態となる。したがって、初期水圧試験時にかしめ忘れを確実に発見することができる。もちろん、正常なかしめが行われれば、長期使用後においても、樹脂管Ｐが抜けたり、接続部分から水漏れしたりすることがない。
また、上記かしめダイス５を用いてかしめれば、軽い力でかしめることができるとともに、かしめ部分に褶曲形状の余肉部が形成されず、周方向で圧縮が不均一になることがないため、漏水等に対する接合部の信頼性が向上する。
しかも、この圧縮かしめ管継手１は、リング状シール材２４の外径が、シール材嵌合溝２３ａの側壁上側周縁の直径より小径であるので、止水性を確保するためには、樹脂管Ｐの内壁がシール材嵌合溝２３ａ内に入り込むように縮径させなければならない。すなわち、かしめによるスリーブ３及び樹脂管Ｐのかしめ部の縮径量を大きくする必要があるが、上記かしめダイス５を用いれば、必要な大きな縮径量を十分に確保することができる。
【００２７】
すなわち、上記かしめダイス５は、一方の分割ダイス５ａを他方の分割ダイス５ａ方向に移動させていくと、まず、スリーブ５３の壁面にかしめ突条５３の両端があたるが、かしめ突条５３の両端縁が湾曲形状に面取りされているので、スリーブ５３が軽い力でスムーズにかしめ凹部５１内に入り込むとともに、図９に示すように、かしめ突条５３に当接する部分がかしめられて半円形状の線状かしめ部３４が形成される。そして、線状かしめ部３４によって樹脂管Ｐの壁面が圧縮変形される。また、対となるかしめ突条５３の位置が、重なっていると、かしめていくと、スリーブ本体３１の余肉部分が突き合わせ面近傍にあつまり褶曲形状となるが、上記かしめダイス５は、２つの分割ダイス５ａの対となるかしめ突条５３は、かしめ凹部５１の軸方向にずれている、すなわち、同一平面上にないとともに、両分割ダイス５ａの突き合わせ凸面５２ａと突き合わせ凹面５２ｂとが突き合わされた状態となるため、対となる線状かしめ部３４は、その端部が突き合うことがない。したがって、かしめ部分に褶曲形状の余肉部が形成されず、周方向で圧縮が不均一になることがない。
【００２８】
さらに、かしめ凹部５１の軸方向から見たとき、対となるかしめ突条５３の両端部同士が重なって、対となるかしめ突条５３が略円形を形成したように見えるように、すなわち、かしめ突条５３の両端部が立体的に重なるようにかしめ突条５３が形成されているので、対となるかしめ突条５３によって形成された線状かしめ部３４の端部同士も立体的に重なる。したがって、止水性が高いものとなる。
【００２９】
本発明は、上記の実施の形態に限定されない。例えば、上記の実施の形態では、シール材嵌合溝が１つであったが、２つ以上設け、それぞれにリング状シール材を嵌装するようにしてもよい。
また、上記の実施の形態では、スリーブとノズル部との間に樹脂管を挿入したのち、スリーブが分割ダイス間にセットされるようになっていたが、圧縮かしめ管継手を、そのスリーブ部分が分割ダイス間にセットされるようにダイス工具に保持したのち、スリーブとノズル部との間に樹脂管を挿入するようにしても構わない。
【００３０】
以下に、本発明の具体的な実施例と比較例を説明する。
【００３１】
（実施例1）
各部の寸法が以下のとおりである図１及び図２に示す形状の圧縮かしめ管継手を作製し、作製した圧縮かしめ管継手と樹脂管（積水化学工業社製金属強化ポリエチレン管、スーパーエスロメタックスφ１６（外径：φ20.1mm、肉厚2.25mm））とを以下のようにして接続した。
ノズル部最大外径（シール材嵌合溝の側壁上端縁の径）：φ15.22mm
シール材嵌合溝の底部分の径：φ10.6mm
スリーブ内径：φ20.3mm
スリーブ肉厚：0.5ｍｍ
リング状シール材のシール材嵌合溝の底から最高位置までの高さ：2.29ｍｍ
なお、上記のように作製した圧縮かしめ管継手は、スリーブ内径が樹脂管の外径より大きく、ノズル部最大外径が樹脂管の内径より小さい。また、リング状シール材上端がシール材嵌合溝から飛び出ていない。
そして、この圧縮かしめ管継手のスリーブとノズル部との間に上記樹脂管を挿入したところ、樹脂管は、抵抗なくスムーズに樹脂管端面が継手本体の段差に当たるまで挿入ができた。
つぎに、この挿入状態で、ダイスによるスリーブの圧縮かしめを行わず水圧を付与しようとしたところ、水を通水させただけで、樹脂管と圧縮かしめ管継手との間から水が漏れることが確認できた。
引き続き、図５〜図７に示す形状の専用ダイス（かしめ突条内径：φ19.3mm）にて、スリーブをかしめ、樹脂管と圧縮かしめ管継手とを接続した。
この状態で、短期水圧試験（23℃×1.75MPa×2分間）および長期静水圧試験（95℃×1.35MPa×1000時間）を行ったところ、いずれの試験においても、漏水等の異常は見られなかった。
また、圧縮かしめによって縮径したリング状シール材当接部の樹脂管最小内径は、φ14.13mm、リング状シール材の圧縮率は22.3%であった。
【００３２】
（実施例２）
各部の寸法が以下のとおりである図１及び図２に示す形状の圧縮かしめ管継手を作製し、作製した圧縮かしめ管継手と樹脂管（積水化学工業社製、スーパーエスロメタックスφ１６（外径：φ20.1mm、肉厚2.25mm））とを以下のようにして接続した。
ノズル部最大外径（シール材嵌合溝の側壁上端縁の径）：φ15.22mm
シール材嵌合溝の底部分の径：φ10.57mm
スリーブ内径：φ20.25mm
スリーブ肉厚：0.45ｍｍ
リング状シール材のシール材嵌合溝の底から最高位置までの高さ：2.20mm
なお、上記のように作製した圧縮かしめ管継手は、スリーブ内径が樹脂管の外径より大きく、ノズル部最大外径が樹脂管の内径より小さい。また、リング状シール材上端がシール材嵌合溝から飛び出ていない。
そして、この圧縮かしめ管継手のスリーブとノズル部との間に上記樹脂管を挿入したところ、樹脂管は、抵抗なくスムーズに樹脂管端面が継手本体の段差に当たるまで挿入ができた。
つぎに、この挿入状態で、ダイスによるスリーブの圧縮かしめを行わず水圧を付与しようとしたところ、水を通水させただけで、樹脂管と圧縮かしめ管継手との間から水が漏れることが確認できた。
引き続き、図５〜図７に示す形状の専用ダイス（かしめ突条内径：φ19.4mm）にて、スリーブをかしめ、樹脂管と圧縮かしめ管継手とを接続した。
この状態で、短期水圧試験（23℃×1.75MPa×2分間）および長期静水圧試験（95℃×1.35MPa×1000時間）を行ったところ、いずれの試験においても漏水等の異常は見られなかった。
また、圧縮かしめによって縮径したリング状シール材当接部の樹脂管最小内径は、φ14.70mm、リング状シール材の圧縮率は5.8%であった。
【００３３】
（比較例１）
各部の寸法が以下のとおりである図１及び図２に示す形状の圧縮かしめ管継手を作製し、作製した圧縮かしめ管継手と樹脂管（積水化学工業社製金属強化ポリエチレン管、スーパーエスロメタックスφ１６（外径：φ20.1mm、肉厚2.25mm））を以下のようにして接続した。
ノズル部最大外径（シール材嵌合溝の側壁上端縁の径）：φ15.22mm
シール材嵌合溝の底部分の径：φ11.4mm
スリーブ内径：φ20.3mm
スリーブ肉厚：0.5ｍｍ
リング状シール材のシール材嵌合溝の底から最高位置までの高さ：2.30mm
なお、上記のように作製した圧縮かしめ管継手は、スリーブ内径が樹脂管の外径より大きく、ノズル部最大外径が樹脂管の内径より小さい。しかし、リング状シール材上端がシール材嵌合溝から飛び出ているとともに、リング状シール材のシール材嵌合溝の底から最高位置部分の外径が樹脂管内径より大きい。
そして、上記のように作製した圧縮かしめ管継手のスリーブとノズル部との間に上記樹脂管を挿入した。
この挿入状態で、ダイスによるスリーブの圧縮かしめを行わず、短期水圧試験（23℃×1.75MPa×2分間）を行ったところ、全く異常は見られなかった。
引き続き、図５〜図７に示す形状の専用ダイス（かしめ突条内径：φ19.4mm）にて、スリーブをかしめ、樹脂管と圧縮かしめ管継手とを接続した。
この状態で、長期静水圧試験（95℃×1.35MPa×1000時間）を実施したところ、約250時間経過後に管と継手の間から漏水した。
【００３４】
（比較例２）
各部の寸法が以下のとおりである図１及び図２に示す形状の圧縮かしめ管継手を作製し、作製した圧縮かしめ管継手と樹脂管（積水化学工業社製金属強化ポリエチレン管、スーパーエスロメタックスφ１６（外径：φ20.1mm、肉厚2.25mm））を以下のようにしてかしめ接続した。
ノズル部最大外径（シール材嵌合溝の側壁上端縁の径）：φ15.22mm
シール材嵌合溝の底部分の径：φ11.4mm
スリーブ内径：φ20.3mm
スリーブ肉厚：0.5ｍｍ
リング状シール材のシール材嵌合溝の底から最高位置までの高さ：2.30mm
なお、上記のように作製した圧縮かしめ管継手は、スリーブ内径が樹脂管の外径より大きく、ノズル部最大外径が樹脂管の内径より小さい。しかし、リング状シール材上端がシール材嵌合溝から飛び出ているとともに、リング状シール材のシール材嵌合溝の底から最高位置部分の外径が樹脂管内径より大きい。
そして、上記のように作製した圧縮かしめ管継手のスリーブとノズル部との間に上記樹脂管を挿入した。
この挿入状態で、ダイスによるスリーブの圧縮かしめを行わず、短期水圧試験（23℃×1.75MPa×2分間）を行ったところ、全く異常は見られなかった。
引き続き、図５〜図７に示す形状の専用ダイス（かしめ突条内径：φ18.8mm）にて、スリーブをかしめ、樹脂管と圧縮かしめ管継手とを接続した。
この状態で、長期静水圧試験（95℃×1.35MPa×1000時間）を行ったところ、約550時間経過後に樹脂管と継手の間から漏水した。漏水後の継手を半割にし、内部を確認したところ、リング状シール材が破損していた。
このとき  圧縮かしめによって縮径したリング状シール材当接部の樹脂管最小内径は、φ12.97mm、リング状シール材の圧縮率は67%であった。
【００３５】
（比較例３）
各部の寸法が以下のとおりである図１及び図２に示す形状の圧縮かしめ管継手を作製し、作製した圧縮かしめ管継手と樹脂管（積水化学工業社製金属強化ポリエチレン管、スーパーエスロメタックスφ１６（外径：φ20.1mm、肉厚2.25mm））を以下のようにしてかしめ接続した。
ノズル部最大外径：φ15.22mm
シール材嵌合溝の底部分の径：φ10.57mm
スリーブ内径：φ20.25mm
スリーブ肉厚：0.45ｍｍ
リング状シール材のシール材嵌合溝の底から最高位置までの高さ：2.20mm
なお、上記のように作製した圧縮かしめ管継手は、スリーブ内径が樹脂管の外径より大きく、ノズル部最大外径が樹脂管の内径より小さい。また、リング状シール材上端がシール材嵌合溝から飛び出ていない。
そして、上記のように作製した圧縮かしめ管継手のスリーブとノズル部との間に上記樹脂管を挿入した。
つぎに、この挿入状態で、ダイスによるスリーブの圧縮かしめを行わず水圧を付与しようとしたところ、水を通水させただけで、樹脂管と圧縮かしめ管継手との間から水が漏れることが確認できた。
引き続き、図５〜図７に示す形状の専用ダイス（かしめ突条内径：φ20.1mm）にて、スリーブをかしめ、樹脂管と圧縮かしめ管継手とを接続した。
この状態で、短期水圧試験（23℃×1.75MPa×2分間）を行ったところ、樹脂管と圧縮かしめ管継手との間から漏水した。
このとき、圧縮かしめによって縮径したリング状シール材当接部の樹脂管最小内径は、φ15.4mm、リング状シール材の圧縮率は-10%であった。
【符号の説明】
【００３６】
１  圧縮かしめ管継手
２  継手本体
２３  ノズル部
２３ａ  シール材嵌合溝
２４  リング状シール材
３  スリーブ
３４  線状かしめ部
５  かしめダイス
５ａ  分割ダイス
Ｐ  樹脂管（金属強化ポリエチレン管）
【図１】
2011169335.tif 000003
【図２】
2011169335.tif 000004
【図３】
2011169335.tif 000005
【図４】
2011169335.tif 000006
【図５】
2011169335.tif 000007
【図６】
2011169335.tif 000008
【図７】
2011169335.tif 000009
【図８】
2011169335.tif 000010
【図９】
2011169335.tif 000011
【図１０】
2011169335.tif 000012